(57)【特許請求の範囲】
【請求項１】
表面シート、裏面シート及び両シート間に介在された吸収体を有する実質的に縦長の吸収性本体と、該吸収性本体の肌当接面側の両側部をそれぞれ被覆する一対のサイド防漏部とを備えた吸収性物品であって、
前記サイド防漏部は、嵩高なサイドシートから形成されており、該サイド防漏部の長手方向前後端縁は、前記表面シートの長手方向前後端縁よりも長手方向内方に位置しており、
前記サイド防漏部は、その長手方向前後端縁を厚み方向に圧縮して形成されたサイドシート固定部にて、前記表面シートに接合されており、該サイドシート固定部の長手方向前後外端縁は、該表面シートの長手方向前後端縁よりも長手方向内方に位置している吸収性物品。
【請求項２】
前記表面シートは、その長手方向前後端縁と前記サイドシート固定部の長手方向前後外端縁との間の領域が、厚み方向に凹凸加工されている請求項１記載の吸収性物品。
【請求項３】
前記サイド防漏部は、前記サイドシートが幅方向に２つ折りされて２層構造となっており、該サイドシートの折り返し縁は該サイド防漏部の内側縁を形成している請求項１又は２に記載の吸収性物品。
【請求項４】
２層構造の前記サイド防漏部における長手方向前後端縁側の領域は、下層が存せず上層のみからなる１層領域となっており、該１層領域は、前記サイドシート固定部の長手方向前後内端縁に配設されている請求項３記載の吸収性物品。
【請求項５】
前記１層領域の長手方向前後外端縁は平面視で内側縁に向けて丸みを帯びている請求項４記載の吸収性物品。
【請求項６】
前記サイドシート固定部は、長手方向に沿う長さが幅方向に向けて異なっている請求項１〜５の何れかに記載の吸収性物品。
【請求項７】
前記サイドシート固定部は、ヒートエンボスシール加工により形成されている請求項１〜６の何れかに記載の吸収性物品。
【請求項８】
前記吸収性本体の両側部それぞれから幅方向外方に延出する一対のウイング部を更に備えている請求項１〜７の何れかに記載の吸収性物品。
【発明の詳細な説明】
【技術分野】
【０００１】
本発明は、生理用ナプキン等の吸収性物品に関する。
【背景技術】
【０００２】
生理用ナプキン等の吸収性物品には、表面シート、裏面シート及び両シート間に介在された吸収体を有する実質的に縦長の吸収性本体と、該吸収性本体の肌当接面側の両側部をそれぞれ被覆する一対のサイド防漏部とを備えたものがある（例えば、下記特許文献１参照）。
【０００３】
【特許文献１】特開平６−４７０７２号公報
【発明の開示】
【発明が解決しようとする課題】
【０００４】
サイド防漏部の長手方向前後端縁近傍は、一般的に、吸収性本体の表面シートに、ヒートシールから形成されるサイドシート固定部にて接合される。このような接合形態の吸収性物品においては、サイド防漏部の長手方向前後端縁近傍において、吸収性物品の構成材料が数多く重ね合わされているため、サイドシート固定部が硬くなり、装着時に着用者がサイドシート固定部の硬さを感じ易く、好ましくなかった。
【０００５】
また、特許文献１記載の吸収性物品のように股間部に相当する部位にのみサイド防漏部を配置した構成の場合には、サイド防漏部の長手方向前後端縁と吸収性本体との間に大きな段差が生じ易く、そのため、装着時に着用者がその段差に起因する違和感を感じ易かった。サイド防漏部の肌触りやクッション性等を向上させるために、サイド防漏部を嵩高なシートから形成した場合には、前記違和感は特に顕著になる。
【０００６】
従って、本発明の目的は、表面シート、裏面シート及び両シート間に介在された吸収体を有する実質的に縦長の吸収性本体と、該吸収性本体の肌当接面側の両側部をそれぞれ被覆する一対のサイド防漏部とを備えた吸収性物品において、サイド防漏部の長手方向前後端縁近傍のサイドシート固定部が硬く感じられ難く、サイド防漏部を嵩高なシートから形成した場合にも、サイド防漏部の長手方向前後端縁と吸収性本体との間に大きな段差が生じ難い吸収性物品を提供することにある。
【課題を解決するための手段】
【０００７】
本発明は、表面シート、裏面シート及び両シート間に介在された吸収体を有する実質的に縦長の吸収性本体と、該吸収性本体の肌当接面側の両側部をそれぞれ被覆する一対のサイド防漏部とを備えた吸収性物品であって、前記サイド防漏部は、嵩高なサイドシートから形成されており、該サイド防漏部の長手方向前後端縁は、前記表面シートの長手方向前後端縁よりも長手方向内方に位置しており、前記サイド防漏部は、その長手方向前後端縁を厚み方向に圧縮して形成されたサイドシート固定部にて、前記表面シートに接合されており、該サイドシート固定部の長手方向前後外端縁は、該表面シートの長手方向前後端縁よりも長手方向内方に位置している吸収性物品を提供することにより、上記目的を達成したものである。
【発明の効果】
【０００８】
本発明の吸収性物品によれば、表面シート、裏面シート及び両シート間に介在された吸収体を有する実質的に縦長の吸収性本体と、該吸収性本体の肌当接面側の両側部をそれぞれ被覆する一対のサイド防漏部とを備えた吸収性物品において、サイド防漏部の長手方向前後端縁近傍のサイドシート固定部が硬く感じられ難く、サイド防漏部を嵩高なシートから形成した場合にも、サイド防漏部の長手方向前後端縁と吸収性本体との間に大きな段差が生じ難い。
【発明を実施するための最良の形態】
【０００９】
以下、本発明の吸収性物品について、その好ましい一実施形態（第１実施形態）に基づき図面を参照しながら説明する。
本実施形態の吸収性物品は、生理用ナプキン１であり、図１及び図２に示すように、表面シート２、裏面シート３及び両シート２，３間に介在された吸収体４を有する実質的に縦長の吸収性本体５と、吸収性本体５の肌当接面側の両側部をそれぞれ被覆する一対のサイド防漏部６，６と、吸収性本体５の両側部それぞれから幅方向外方に延出する一対のウイング部７，７を備えている。
【００１０】
尚、「肌当接面側」とは、吸収性本体等の各部材の表裏両側（面）のうち、着用時に着用者の肌側に配される側（面）である。また、「非肌当接面側」とは、着用時に着用者の肌側とは反対側に配される側（面）である。また、「長手方向」とは、特に明記のない限り、吸収性物品の長手方向に沿う方向であり、「幅方向」とは、吸収性物品の幅方向に沿う方向である。
【００１１】
本実施形態の生理用ナプキン１について更に詳述する。吸収性本体５は、図１及び図２に示すように、液透過性の表面シート２、液保持性の吸収体４及び液不透過性又は液難透過性の裏面シート３がこの順で積層されて構成されている。吸収体４は、平面視で、長手方向前後端縁（図示せず）が略円弧状で、側縁４１が長手方向に直線状となっている。
表面シート２は、吸収体４の上面の全域を被覆している。表面シート２の長手方向前後端縁２１は、略円弧状であり、吸収体４の長手方向前後端縁から長手方向に延出している。表面シート２の側縁２２は、長手方向に沿う直線状であり、吸収体４の側縁４１から幅方向に若干延出しているが、裏面シート３からは離間している。
【００１２】
裏面シート３は、吸収体４の下面の全域を被覆している。裏面シート３の長手方向前後端縁（図示せず）は、表面シート２と同様に略円弧状であり、吸収体４の長手方向前後端縁から長手方向に延出している。裏面シート３の側縁３１は、長手方向に沿う直線状であり、吸収体４の側縁４１及び表面シート２の側縁２２から幅方向に更に延出している。
表面シート２、吸収体４及び裏面シート３としては、生理用ナプキン等の吸収性物品において従来用いられている各種材料を特に制限なく用いることができる。
【００１３】
サイド防漏部６は、図１及び図２に示すように、吸収性本体５の肌当接面側の両側部それぞれを被覆する部位で、吸収性本体５の長手方向に沿って設けられている。サイド防漏部６は、嵩高なサイドシート６３から形成されている。
【００１４】
ここでいう「嵩高なサイドシート」は、株式会社キーエンス製のＬＫ−０８５レーザー変位計にて測定した厚みが、０．５ｍｍ〜５ｍｍ、好ましくは０．８ｍｍ〜５ｍｍ、より好ましくは１ｍｍ〜４ｍｍの不織布である。「嵩高なサイドシート」としては、その製法面からみると、例えば、不織布にヒートエンボス加工等の凹凸加工を施し、厚みを増した単層の不織布、前記凹凸加工によって一体とされた複層不織布、カード法やエアレイド法により繊維が積層された、坪量が４０ｇ／ｍ2以上のエアスルー不織布が挙げられる。
【００１５】
サイド防漏部６が嵩高なサイドシート６３から形成されていると、サイド防漏部６の肌触り、クッション性等が向上するため好ましい。また、サイドシート６３は、装着時の変形に対する皺の発生を防ぎ、良好な感触を維持できる点から、伸縮性を有していることがさらに好ましい。さらに、サイドシート６３は、吸収性物品の長手方向に沿って伸張状態で、吸収性物品の長手方向端部に固定させると、立体的な防漏形状の形成が容易に行える点でも好ましい。また図２に示すように、ウイング部７がサイドシート６３から形成されている場合には、ウイング部７も伸縮性を有するようになるため、ショーツのクロッチ部の湾曲形状にウイング部７をフィットさせ易く、生理用ナプキンのショーツへの装着性が向上され、ズレやモレを防ぎやすくできる点からも好ましい。
【００１６】
嵩高で伸縮性を有するサイドシート６３としては、例えば、図３に示すように、上面側の第１繊維層６３Ａと下面側の第２繊維層６３Ｂとからなる凹凸シートが挙げられる。この凹凸シートにおいては、第１繊維層６３Ａと第２繊維層６３Ｂとが部分的に熱融着されて熱融着部（接合部）６３Ｃが形成されており、第１繊維層６３Ａは、熱融着部６３Ｃ以外の部位において、圧縮弾性を有する多数の凸部６３Ｄを形成している。
【００１７】
前記凹凸シートは、繊維集合体からなる第１繊維層６３Ａ及び第２繊維層６３Ｂを、熱エンボスにより所定のパターンで部分的に熱融着させた後、第２繊維層６３Ｂを水平方向に熱収縮させて得られる。
より詳細に説明すると、熱エンボスによる熱融着は、例えば、多数のエンボスピンが規則的に配設されたエンボス面（エンボスロールの周面等）を、第１繊維層６３Ａと第２繊維層６３Ｂとの積層体における第１繊維層６３Ａ側に圧接させ、各ピンに熱圧された部位における、第１繊維層６３Ａ及び／又は第２繊維層６３Ｂの構成繊維を溶融させて行われる。第２繊維層６３Ｂの熱収縮は、例えば、第２繊維層６３Ｂを熱収縮性繊維から構成するか又は第２繊維層６３Ｂ中に熱収縮性繊維を含ませておき、第１繊維層６３Ａと第２繊維層６３Ｂとを熱融着させると同時、或いは両者を熱融着させた後に、第２繊維層６３Ｂを加熱処理することにより行われる。多数の凸部６３Ｄは、第２繊維層６３Ｂを水平方向に熱収縮させることにより、第１繊維層６３Ａの熱融着部６３Ｃ以外の部位が凸形に変形して生じたものである。
【００１８】
多数の熱融着部６３Ｃは、図３に示すように、散点状且つ千鳥状に規則的に形成されており、熱融着部６３Ｃ同士間の距離はほぼ一定である。
各凸部６３Ｄは、それぞれドーム状をなしており、その内部は第１繊維層６３Ａを構成する繊維で満たされている。また、各凸部６３Ｄが形成された部分における第１繊維層６３Ａと第２繊維層６３Ｂとの界面は接合されていないが密着した状態とされている。
【００１９】
第１繊維層６３Ａの構成繊維は、実質的に熱収縮性を有しないか、又は後述する第２繊維層６３Ｂの構成繊維の熱収縮温度以下で熱収縮しないものであることが好ましい。
【００２０】
第２繊維層６３Ｂの構成繊維としては、熱可塑性ポリマー材料からなり且つ熱収縮性を有するものが好適である。また、該構成繊維は、収縮後にもエラストマー的挙動を示すものであることが好ましい。そのような繊維の例としては、潜在捲縮性繊維が挙げられる。第２繊維層６３Ｂ中の潜在捲縮性繊維の含有割合は４０〜１００重量％であることが好ましい。潜在捲縮性繊維は、加熱される前は、従来の不織布用の繊維と同様に取り扱うことができ、且つ所定温度での加熱によって螺旋状の捲縮が発現して収縮する性質を有する繊維である。潜在捲縮性繊維を用いることで、熱収縮性とエラストマー的挙動の両者を同時に発現させることができる。
【００２１】
潜在捲縮性繊維は、例えば収縮率の異なる２種類の熱可塑性ポリマー材料を成分とする偏心芯鞘型又はサイド・バイ・サイド型の複合繊維からなる。その例としては、特開平９−２９２３２５号公報や特許第２７５９３３１号明細書に記載のものが挙げられる。第２繊維層６３Ｂは、例えば、このような潜在捲縮性繊維を含ませておき、第１繊維層６３Ａとの熱融着と同時又はその後に、加熱により該繊維の捲縮を発現させ、収縮させる。
【００２２】
サイド防漏部６は、図２に示すように、サイドシート６３が幅方向に２つ折りされて２層構造となっている。サイドシート６３の折り返し縁は、サイド防漏部６の内側縁６２を形成している。本実施形態においては、サイド防漏部６は、第１繊維層６３Ａが外側に配されるように幅方向に２つ折りされて、全域に亘って２層構造となっている。サイド防漏部６の幅は、好ましくは１０〜３０ｍｍ、更に好ましくは１５〜２５ｍｍである。
【００２３】
サイド防漏部６の内側縁６２側は、吸収性本体５の排泄部対向領域において幅方向内方に開口するポケットが形成されるように、接着剤やヒートシール等により表面シート２に接合されている。尚、「排泄部対向領域」とは、着用者の排泄部と対向する領域を意味し、本実施形態のようにウイング部７を有する生理用ナプキンにおいては、吸収性本体５における、その両側部にウイング部７を有する領域を意味する。
サイド防漏部６の外側部は、線状のサイドシール部Ｔ１により裏面シート３に接合されている。サイドシール部Ｔ１は、ウィング部７の位置において幅方向内方に向けて湾曲している。サイドシール部Ｔ１は、例えば、ヒートエンボス加工により形成されている。
【００２４】
吸収性本体５の排泄部対向領域においては、平面視で包囲形状の防漏溝Ｔ２が形成されている。防漏溝Ｔ２は、表面シート２が吸収体４にヒートエンボス加工により圧縮接合される形で形成されている。
【００２５】
サイド防漏部６の長手方向前後端縁６１は、図４に示すように、表面シート２の長手方向前後端縁２１よりも長手方向内方に位置しており、表面シート２の長手方向前後端縁２１の形状に沿って略円弧状となっている。表面シート２の長手方向前後端縁２１とサイド防漏部６の長手方向前後端縁６１との長手方向に沿う間隔は、好ましくは２．５〜１２．５ｍｍ、更に好ましくは５〜１０ｍｍである。サイド防漏部６の長手方向前後端縁６１を、表面シート２の長手方向前後端縁２１よりも長手方向内方に位置させることで、後述するように、サイドシート固定部Ｓの長手方向前後外端縁Ｓ１を表面シート２の長手方向前後端縁２１よりも長手方向内方に位置させることができる。
【００２６】
サイド防漏部６は、図４に示すように、その長手方向前後端縁６１を厚み方向に圧縮して形成されたサイドシート固定部Ｓにて、表面シート２に接合されている。サイドシート固定部Ｓの長手方向に沿う長さは、好ましくは４〜１２ｍｍ、更に好ましくは６〜１０ｍｍである。サイドシート固定部Ｓは、厚み方向に圧縮する加工、例えば、ヒートシール加工、超音波シール加工により形成される。
本実施形態におけるサイドシート固定部Ｓは、サイド防漏部６の長手方向前後端縁６１の全域において長手方向に跨いでおり、ヒートエンボスシール加工により形成されている。
サイドシート固定部Ｓと重なるサイド防漏部６の長手方向に沿う長さは、好ましくは２〜１０ｍｍ、更に好ましくは４〜６ｍｍである。
【００２７】
サイドシート固定部Ｓの長手方向前後外端縁Ｓ１は、表面シート２の長手方向前後端縁２１よりも長手方向内方に位置している。つまり、表面シート２の長手方向前後端縁２１近傍の領域は、サイドシート固定部Ｓが形成されていない非シール領域となっている。
表面シート２の長手方向前後端縁２１とサイドシート固定部Ｓの長手方向前後外端縁Ｓ１との長手方向に沿う間隔、つまり前記非シール領域の長手方向に沿う長さは、好ましくは２〜１０ｍｍ、更に好ましくは４〜８ｍｍである。
【００２８】
サイドシート固定部Ｓは、例えば、図５に示すように、２つ折りされたサイドシート６３を、表面シート２の肌当接面側に、長手方向前後端縁６１がサイドシート固定部Ｓとなる領域（Ｓ）に位置するように配設された状態で、ヒートエンボス加工を施すことにより形成することができる。
【００２９】
表面シート２は、その長手方向前後端縁２１とサイドシート固定部Ｓの長手方向前後外端縁Ｓ１との間の領域（非シール領域）が、厚み方向に凹凸加工されている。この凹凸加工は、サイドシート固定部Ｓの形成後に後加工として行ってもよく、サイドシート固定部Ｓの形成前に予め加工しておいてもよい。表面シート２の非シール領域は、図４に示すように、厚み方向全体が波状となるように凹凸加工されていてもよく、また、肌当接面側のみに凹凸が形成され、非肌当接面側には実質的に凹凸が形成されないように、凹凸加工されていてもよい（図示せず）。後加工の凹凸加工としては、例えば熱風による嵩高回復加工が好ましい。
【００３０】
吸収性本体５の非肌当接面側には、即ち、裏面シート３の非肌当接面側には、吸収性本体５とショーツのクロッチ部の内面とを止着するためのズレ止め剤（図示せず）が設けられている。
【００３１】
ウイング部７は、図１及び図２に示すように、吸収性本体５の両側部それぞれから幅方向外方に延出するように一対設けられている。本実施形態においては、ウィング部７は、サイド防漏部６の上層を形成するサイドシート６３と一体的に（同じ素材シートから）形成されている。
【００３２】
ウイング部７の非肌当接面側には、ウィング部７とショーツのクロッチ部の外面とを止着するためのズレ止め剤（図示せず）が設けられており、使用時にショーツのクロッチ部の外面側に折り返されて該ズレ止め剤によりクロッチ部に止着できるようになっている。
【００３３】
本実施形態の生理用ナプキン１は、吸収性本体５をショーツのクロッチ部の内面に配設し、ウイング部７をクロッチ部の外面側に折り返して、吸収性本体５及びウイング部７にそれぞれ設けられたズレ止め剤でクロッチ部に止着することにより、位置ズレを防止しながら装着することができる。
【００３４】
このように構成された第１実施形態の生理用ナプキン１によれば、サイド防漏部６の長手方向前後端縁６１は、表面シート２の長手方向前後端縁２１よりも長手方向内方に位置しており、サイド防漏部６は、その長手方向前後端縁６１を厚み方向に圧縮して形成されたサイドシート固定部Ｓにて、表面シート２に接合されており、サイドシート固定部Ｓの長手方向前後外端縁Ｓ１は、表面シート２の長手方向前後端縁２１よりも長手方向内方に位置している。
【００３５】
そのため、表面層（表面シート２及びサイド防漏部６を併せて「表面層」という）の厚みは、サイド防漏部６からサイドシート固定部Ｓに亘る領域において、長手方向内方から長手方向外方に向けて段階的に減少する。その結果、サイド防漏部６と表面シート２とを接合するサイドシート固定部Ｓの硬さが抑制され、装着時に着用者がサイドシート固定部Ｓの硬さを感じ難い（接触面が低下し、柔らかさが向上する）。また、サイド防漏部６を嵩高なサイドシート６３から形成した場合にも、サイド防漏部６の長手方向前後端縁６１と表面シート２との間に大きな段差が生じ難く、装着時に着用者がその段差に起因する違和感を感じ難い。更に、サイドシート固定部Ｓの存在を着用者に認識し難くすることができる。
【００３６】
また、表面シート２は、その長手方向前後端縁２１とサイドシート固定部Ｓの長手方向前後外端縁Ｓ１との間の領域が、厚み方向に凹凸加工されているため、装着時の違和感が更に低減されている。
【００３７】
次に、本発明の他の実施形態(第２実施形態、第３実施形態)について説明する。他の実施形態については、上述した第１実施形態と異なる点を主として説明し、同様の点は同一の符号を付して説明を省略する。特に説明しない点は、第１実施形態についての説明が適宜適用される。
【００３８】
第２実施形態の生理用ナプキン１は、図６に示すように、第１実施形態の生理用ナプキン１に比して、主として、サイド防漏部６の層構造及び長手方向前後端縁６１の形状が異なる。
第２実施形態の生理用ナプキン１においては、サイド防漏部６における長手方向前後端縁６１側の領域は、下層６７が存せず上層６６のみからなる１層領域６４となっている。１層領域６４は、サイドシート固定部Ｓの長手方向前後内端縁Ｓ２に配設されている。サイドシート固定部Ｓと重なっていない１層領域６４の長手方向に沿う長さは、好ましくは３〜１２ｍｍ、更に好ましくは５〜１０ｍｍである。
【００３９】
サイド防漏部６の長手方向前後端縁６１（１層領域６４の長手方向前後外端縁でもある）は、平面視で内側縁６２に向けて丸みを帯びている。このような形態のサイド防漏部６は、例えば、図６（ｃ）に示すように、展開状態において上層６６を形成する領域が下層６７を形成する領域よりも長手方向前後端縁６１寄りに延出するように段違い形状となっているサイドシート６３を、幅方向に２つ折りすることで得られる。
【００４０】
第２実施形態の生理用ナプキン１においては、サイドシート固定部Ｓは、幅方向に沿う等幅の直帯状となっている。サイド防漏部６の長手方向前後端縁６１は、サイドシート固定部Ｓにて接合されているが、内側縁６２に向けて丸みを帯びているため、サイドシート固定部Ｓは、サイド防漏部６の長手方向前後端縁６１における内側縁６２側の一部の範囲を跨いでいない。
【００４１】
第２実施形態の生理用ナプキン１によれば、第１実施形態と同様の効果が奏される他、以下の効果が奏される。
サイド防漏部６における長手方向前後端縁６１側の領域が１層領域６４となっており、１層領域６４がサイドシート固定部Ｓの長手方向前後内端縁Ｓ２に配設されているため、表面層（表面シート２及びサイド防漏部６）の厚みが、サイド防漏部６からサイドシート固定部Ｓに亘る領域において、長手方向内方から長手方向外方に向けて更に滑らかに段階的に減少する。さらに、サイドシート６３の長手方向前後端縁を、長手方向を斜めに横切る形状（図６に示す丸みを帯びた形状）とすることで、剛性が高い部分を徐々に減少させることができるため、硬さをより感じ難い形態となすことができる。
【００４２】
第３実施形態の生理用ナプキン１は、図７に示すように、第１実施形態の生理用ナプキン１に比して、主として、サイドシート固定部Ｓの形状が異なる。
第３実施形態の生理用ナプキン１においては、図７に示すように、サイドシート固定部Ｓは、長手方向に沿う長さが幅方向に向けて異なっている。本実施形態においては、サイドシート固定部Ｓの長手方向前後外端縁Ｓ１は、幅方向に沿って延びる直線状であるが、サイドシート固定部Ｓの長手方向前後内端縁Ｓ２は、幅方向に沿って三角波形状となっており、そのためサイドシート固定部Ｓの長手方向に沿う長さが幅方向に向けて異なっている。
【００４３】
第３実施形態の生理用ナプキン１によれば、第１実施形態と同様の効果が奏される他、サイドシート固定部Ｓをこのような形状とすることによって、表面層（表面シート２及びサイド防漏部６）の厚みの変化を一層滑らかにすることできる。
【００４４】
本発明の吸収性物品は、前述した実施形態に制限されることなく、本発明の趣旨を逸脱しない限り適宜変更が可能である。
前記各実施形態の各構成を適宜組み合わせることができる。例えば、第１実施形態における前記平面視形状を有するサイド防漏部６について、第２実施形態におけるサイド防漏部６と同様に、長手方向前後端縁６１側の領域に１層領域６４を有する形態とすることができる。また、第２実施形態における前記平面視形状を有するサイド防漏部６について、第１実施形態におけるサイド防漏部６と同様に、全域を２層領域６５から形成することができる。
【００４５】
サイド防漏部６は、その全域が１層領域から形成されていてもよく、その全域が３層となっていてもよい。サイド防漏部６は、サイドシート６３が幅方向に折り返されて形成されたものに制限されず、（折り返されていない）２枚以上のサイドシート６３を重ねることで形成することもできる。
【００４６】
サイドシート固定部Ｓは、第１実施形態のように長手方向に湾曲していてもよく、第２実施形態のように幅方向に沿う直帯状でもよい。サイドシート固定部Ｓは、第１実施形態のように幅方向全域に亘っていてもよく、第２実施形態のように幅方向の一部の領域に設けられていてもよい。
第３実施形態における、サイドシート固定部Ｓの長手方向に沿う長さを幅方向に向けて異ならせる形状としては、例えば、サイドシート固定部Ｓの長手方向前後外端縁Ｓ１及び／又は長手方向前後内端縁Ｓ２を波状した形状が挙げられる。
【００４７】
ウィング部７は、サイドシート６３と一体的に形成されたものに制限されない。ウィング部７は、必ずしも設けられていなくてもよい。
本発明の吸収性物品は、生理用ナプキンに制限されず、パンティライナー（おりものシート）、失禁パッド等にも適用することができる。装着される下着は、ショーツに制限されない。
【図面の簡単な説明】
【００４８】
【図１】図１は、本発明の吸収性物品の第１実施形態としての生理用ナプキンを示す平面図である。
【図２】図２は、図１に示すII−II断面図である。
【図３】図３は、図１に示す生理用ナプキンにおける表面シートを示す図で、（ａ）は縦断面斜視図、（ｂ）は（ａ）に示すＢ−Ｂ断面図である。
【図４】図４は、図１に示す生理用ナプキンにおける長手方向前後端縁近傍の拡大図で、（ａ）は平面図、（ｂ）は（ａ）に示すＢ−Ｂ断面図である。
【図５】図５は、サイドシート固定部を形成する前の状態を示す縦断面図〔図４（ｂ）対応図〕である。
【図６】図６は、本発明の吸収性物品の第２実施形態としての生理用ナプキンを示す図で、（ａ）は長手方向前後端縁近傍の拡大平面図〔図４（ａ）対応図〕、（ｂ）は（ａ）に示すＢ−Ｂ断面図〔図４（ｂ）対応図〕、（ｃ）はサイドシートを展開した状態を示す図である。
【図７】図７は、本発明の吸収性物品の第３実施形態としての生理用ナプキンを示す図で、長手方向前後端縁近傍の拡大平面図〔図４（ａ）対応図〕である。
【符号の説明】
【００４９】
１  生理用ナプキン（吸収性物品）
２  表面シート
２１  長手方向前後端縁
３  裏面シート
４  吸収体
５  吸収性本体
６  サイド防漏部
６１  長手方向前後端縁
６２  内側縁
６３  サイドシート
７  ウイング部
Ｓ  サイドシート固定部
Ｓ１  長手方向前後外端縁
【図１】
0004597085.tif 000002
【図２】
0004597085.tif 000003
【図３】
0004597085.tif 000004
【図４】
0004597085.tif 000005
【図５】
0004597085.tif 000006
【図６】
0004597085.tif 000007
【図７】
0004597085.tif 000008